(57)【要約】【課題】拝石を移動させることなく、香炉の扉を開いて骨蓋を引出すことにより、骨壷を納骨堂に容易に挿入できると共に、納骨堂への雨水の浸入を防止した墓構造を提供するものである。【解決手段】基礎６の上に胴石１Ａ〜１Ｄを平面枠状に組立て、内部に納骨堂２を形成した外柵１の上部に墓石３を載せた墓構造において、前記墓石３の最下段を構成する下台１０の前面を平面凹形状に切欠いて第１の切欠部１５を形成し、これと対向して平面凹形状の第２の切欠部１６を形成した拝石１７を配置して、第１および第２の切欠部１５、１６で第１の挿入口１８を形成し、この上に第２の挿入口２５を開口した香炉台２０を重ねて、この上に骨蓋２４を引出し自在に重ねると共に、この左右両側に香炉側壁２１を設け、この前面に左右の扉２２を開閉自在に取付けると共に、上部に香炉笠２３を取付けて箱状の香炉４を形成したものである。【選択図】  図１ 
2005139651.tif 000002
【特許請求の範囲】
【請求項１】
基礎の上に平面枠状に胴石を配置し、この胴石の内側に石材で形成された支持板を配置して複数の空間部を形成し、中央の空間部を納骨堂とした外柵の上部に墓石を載せた墓構造において、前記墓石の最下段を構成する下台の前面を平面凹形状に切欠いて第１の切欠部を形成し、これと対向して平面  凹形状の第２の切欠部を形成した拝石を配置して、第１および第２の切欠部で第１の挿入口を形成し、この上に第２の挿入口を開口した香炉台を重ねて、この上に骨蓋を引出し自在に重ねると共に、この左右両側に香炉側壁を設け、この前面に左右の扉を開閉自在に取付けると共に、上部に香炉笠を取付けて箱状の香炉を形成し、香炉の扉を開いて骨蓋を引出すことにより、骨壷を第２および第１の挿入口から納骨堂に挿入するようにしたことを特徴とする墓構造。
【請求項２】
左右両側の香炉側壁の前面上部に段部を形成し、左右両側の扉の端部に前記段部と係合する軸受部を突設し、これら軸受部と段部を軸で連結して扉を開閉するようにしたことを特徴とする請求項１記載の墓構造。
【請求項３】
左右両側の扉の背面に、ロウソク台載置部を突設したことを特徴とする請求項１または２記載の墓構造。
【発明の詳細な説明】
【技術分野】
【０００１】
本発明は、香炉から納骨堂に骨壷を挿入できるようにした墓構造に関するものである。
【背景技術】
【０００２】
一般に墓構造は、平面枠状に配置した胴石の内側空間部に、納骨堂を形成した外柵の上部に墓石を載せ、この前方に納骨堂の挿入口を塞ぐように拝石を設けた構造となっている（例えば特許文献１）。この構造では、納骨する場合に重い拝石をずらして、挿入口を開口してから納骨堂に骨壷を挿入するようになっている。
【０００３】
しかしながら拝石は重量が重く、動かすのが重労働で専門の石屋に依頼しなければならない。また拝石の上には線香を立てる香炉などが設置されていることも多く、この重い香炉も動かす必要がある。また拝石は納骨堂の上面に開口された挿入口を塞ぐように単に置いただけであり、隙間から雨水などが納骨堂に浸入する恐れもあった。
【特許文献１】特開平１１−１４１１８９号公報
【発明の開示】
【発明が解決しようとする課題】
【０００４】
本発明は上記問題を改善し、拝石を移動させることなく、香炉の扉を開いて骨蓋を引出すことにより、骨壷を納骨堂に容易に挿入できると共に、納骨堂への雨水の浸入を防止した墓構造を提供するものである。
【課題を解決するための手段】
【０００５】
本発明の請求項１記載の墓構造は、基礎の上に平面枠状に胴石を配置し、この胴石の内側に石材で形成された支持板を配置して複数の空間部を形成し、中央の空間部を納骨堂とした外柵の上部に墓石を載せた墓構造において、前記墓石の最下段を構成する下台の前面を平面凹形状に切欠いて第１の切欠部を形成し、これと対向して平面凹形状の第２の切欠部を形成した拝石を配置して、第１および第２の切欠部で第１の挿入口を形成し、この上に第２の挿入口を開口した香炉台を重ねて、この上に骨蓋を引出し自在に重ねると共に、この左右両側に香炉側壁を設け、この前面に左右の扉を開閉自在に取付けると共に、上部に香炉笠を取付けて箱状の香炉を形成し、香炉の扉を開いて骨蓋を引出すことにより、骨壷を第２および第１の挿入口から納骨堂に挿入するようにしたことを特徴とするものである。
【０００６】
本発明の請求項２記載の墓構造は、左右両側の香炉側壁の前面上部に段部を形成し、左右両側の扉の端部に前記段部と係合する軸受部を突設し、これら軸受部と段部を軸で連結して扉を開閉するようにしたことを特徴とするものである。更に本発明の請求項３記載の墓構造は、左右両側の扉の背面に、ロウソク台載置部を突設したことを特徴とするものである。
【発明の効果】
【０００７】
本発明に係る請求項１記載の墓構造によれば、納骨する場合には、納骨堂の左右の扉を開いて骨蓋を引出すだけで納骨堂の開口部が開口し、ここから骨壷を挿入することができるので、重い拝石を移動する必要がなく、容易に納骨することができる。また拝石は動かす必要がないので、貼石に接着して納骨堂内への雨水の浸入を防止することができる。
【０００８】
また請求項２記載の墓構造によれば、左右両側の香炉側壁の前面上部に段部を形成し、左右両側の扉の端部に前記段部と係合する軸受部を突設し、これら軸受部と段部を軸で連結して扉を開閉するようにしたので長期間に亘って安定して左右の扉を開閉することができる。
【０００９】
また請求項３記載の墓構造によれば、左右両側の扉の背面にロウソク台載置部を突設し、ここにロウソク台を設置したので扉を開くと両側のロウソク台が手前側に引き出せ、香炉内部を広くして灰皿に線香を載せ易くすることができる。
【発明を実施するための最良の形態】
【００１０】
墓石の前に設置した香炉の扉を開いて骨蓋を引出すことにより、骨壷を香炉から納骨堂に挿入できる墓構造を実現した。
【実施例１】
【００１１】
以下本発明の実施例を図１ないし図１０を参照して詳細に説明する。図１は墓の断面構造を示すもので、１は外柵、２は外柵１の内側の空間部に形成された納骨堂、３は墓石、４は墓石３の前側に設置された香炉である。
【００１２】
前記外柵１は図５に示すように、前面胴石１Ａと左右胴石１Ｂ、１Ｃと背面胴石１Ｄとを平面枠状に配置し、この内側に縦横に支持石５、５を設けて、中央の空間部が納骨堂２となっている。また支持石５、５の上には、図６に示すように前側と左右に貼石７が設けられ、この間に納骨堂２と連通する開口部８が形成されている。
【００１３】
墓石３は、図２に示すように下台（芝石）１０、中台１１、上台１２および竿石１３を順次積み上げて構成されている。下台１０は図７に示すように前面を平面凹形状に切欠いて第１の切欠部１５が形成されている。また下台１０の前には拝石１７が設置され、前記第１の切欠部１５と対向して平面凹形状の第２の切欠部１６が形成されている。この第１および第２の切欠部１５、１６を組み合わせて開口部８の上に第１の挿入口１８が形成されている。
【００１４】
拝石１７の上には図２に示すように香炉４が設けられている。この香炉４は、香炉台２０と、この上の左右両側に設けた香炉側壁２１、２１と、この前面に開閉自在に取付けられた左右の扉２２、２２と、上部に取付けられた香炉笠２３とで箱状に形成され、更にこの内側に前記香炉台２０の上に重ねて引出し自在に設けられた骨蓋２４とから構成されている。
【００１５】
香炉台２０は、図８に示すように中央部に四角形状の第２の挿入口２５が開口されて、その左右両側には香炉側壁２１、２１が取付けられている。また香炉台２０の上に重ねる前記骨蓋２４は、図９に示すように前側が湾曲し、その中央先端側にリン取付け孔２６が開孔されている。また左右の扉２２、２２は図３に示すように背面にロウソク台載置部２７が水平に突設され、更に端部側に軸挿着孔２８を開孔した軸受部２９が突設されている。また香炉側壁２１、２１の前面上部に段部３０が形成され、ここにも軸挿着孔２８が開孔され、左右の扉２２、２２の軸受部２９を段部３０に重ねて係合させ、軸挿着孔２８に軸３１を挿着して左右の扉２２、２２を開閉自在に支持するようになっている。
【００１６】
なお図２において、３３は骨蓋２４のリン取付け孔２６に着脱自在に取付けられるリン、３４はロウソク台載置部２７に取付けられたロウソク台、３５は香炉４の両側に配置された花立、３６は花立３５の間の香炉側壁２１、２１の上に重ねられた天水受台、３７はこの上に載置した天水受である。
【００１７】
次に組立て方法について説明する。先ず図５に示すように基礎６の上に外柵１を組立ててから、図６に示すように貼石７を取付ける。次に図７に示すように下台１０を第１の切欠部１５が前面側になるように設置し、この上に、中台１１、上台１２、竿石１３を順に積み重ねていく。次に下台１０の前面に形成した第１の切欠部１５と対向させて第２の切欠部１６を組み合わせるように拝石１７を設置して、開口部８の上に第１の挿入口１８を形成する。
【００１８】
次に図８に示すように第１の挿入口１８の上に、第２の挿入口２５を開口した香炉台２０を重ねる。次に、この香炉台２０の上面の、下台１０の第１の切欠部１５の左右内側に香炉側壁２１、２１を取付ける。この後、図９に示すように骨蓋２４を香炉台２０の上に重ねる。次に香炉側壁２１、２１の前面上部に形成した段部３０の上に、左右の扉２２、２２の背面に突設した軸受部２９を重ねて係合させ、軸３１で開閉自在に連結する。
【００１９】
この後、図１に示すように骨蓋２４の上に断面コ字形の茶置３８を設置し、図２に示すようにロウソク台載置部２７にロウソク台３４を取付けると共に、骨蓋２４のリン取付け孔２６にリン３３を取付けてから、図１０に示すように茶置３８の手前に灰皿３９を設置する。次に図２に示すように左右の香炉側壁２１、２１の前側上部に香炉笠２３を載置して香炉４を完成する。また香炉４の両側に花立３５、３５を取付ける。また、左右の香炉側壁２１、２１の後側上部には天水受台３６を取付けてから、この上に天水受３７を載置して完成する。左右の扉２２、２２を閉じた状態は図４に示すようになる。
【００２０】
墓参する場合には、左右の扉２２、２２を開き、ロウソク台３４にロウソクを燈し、線香に火を付けて灰皿３９に載せてから、リン３３を鳴らして合掌する。また納骨する場合には、図２に示すように左右の扉２２、２２を開き、リン３３と灰皿３９および茶置３８を取り出してから、骨蓋２４を引出すと、第２の挿入口２５と第１の挿入口１８が露出する。この後、骨壷を香炉４の中に入れて、第２の挿入口２５と第１の挿入口１８から納骨堂２に挿入する。この後、骨蓋２４を差し込んで戻し、茶置３８、灰皿３９を入れて、リン３３を取付けてから左右の扉２２、２２を閉じると図４に示す状態となる。
【００２１】
このように、納骨する場合には、納骨堂２の左右の扉２２、２２を開いて骨蓋２４を引出すだけで納骨堂２の開口部８が開口し、ここから骨壷を挿入することができるので、重い拝石１７を移動する必要がなく、容易に納骨することができる。また拝石１７は動かす必要がないので、貼石７に接着して納骨堂２内への雨水の浸入を防止することができる。
【００２２】
また香炉側壁２１、２１の前面上部に形成した段部３０の上に、左右の扉２２、２２の背面に突設した軸受部２９を重ねて係合させ、軸３１で開閉自在に連結するので、安定して左右の扉２２、２２を開閉することができる。また左右の扉２２、２２の背面にロウソク台載置部２７を突設して、ここにロウソク台３４を設置したので左右の扉２２、２２を開くとロウソク台３４が手前側に引出せ、香炉４内の灰皿３９に線香を載せたり、茶置３８に茶碗を載せたりすることが容易である。
【００２３】
なお上記説明では墓石３を、下台１０、中台１１、上台１２、竿石１３を組み合わせた構造について示したが、その組み合わせ段数は任意であり、少なくとも第１の切欠部１５を形成した下台１０と竿石１３があれば良い。
【図面の簡単な説明】
【００２４】
【図１】本発明の実施例による墓構造の縦断側面図である。
【図２】図１の香炉の扉を開いて骨蓋を引出した状態を示す斜視図である。
【図３】図１の香炉を分解して示す斜視図である。
【図４】左右の扉を閉じた状態を示す墓の斜視図である。
【図５】図１の外柵を示す平面図である。
【図６】図５の外柵の上に貼石を取付けた平面図である。
【図７】図６の外柵の上に墓石を設置し、下台の手前に拝石を設けた状態を示す平面図である。
【図８】図７の拝石の上に香炉台を設置し、この上に香炉側壁を取付けた状態を示す平面図である。
【図９】図８の香炉台の上に骨蓋を取付けると共に、香炉側壁に左右の扉を取付けた状態を示す平面図である。
【図１０】図９の香炉の内側にリンと、ロウソク台、灰皿、および茶置を設置した状態を示す平面図である。
【符号の説明】
【００２５】
１    外柵                                                  
２    納骨堂                                                
３    墓石                                                  
４    香炉                                                  
５    支持石                                                
６    基礎                                                  
７    貼石                                                  
８    開口部                                                
９    下台                                                  
１１  中台                                                  
１２  上台                                                  
１３  竿石                                                  
１５  第１の切欠部                                          
１６  第２の切欠部                                          
１７  拝石                                                  
１８  第１の挿入口                                          
２０  香炉台                                                
２９  香炉側壁                                              
２９  扉                                                    
２０  香炉笠                                                
２１  骨蓋                                                  
２５  第２の挿入口  
２６  リン取付け孔          
２７  ロウソク台載置部    
２８  軸挿着孔    
２９  軸受部    
３０  段部    
３１  軸          
３３  リン      
３４  ロウソク台    
３５  花立    
３９  灰皿  
【図１】
2005139651.tif 000003
【図２】
2005139651.tif 000004
【図３】
2005139651.tif 000005
【図４】
2005139651.tif 000006
【図５】
2005139651.tif 000007
【図６】
2005139651.tif 000008
【図７】
2005139651.tif 000009
【図８】
2005139651.tif 000010
【図９】
2005139651.tif 000011
【図１０】
2005139651.tif 000012